(57)【特許請求の範囲】
【請求項１】
有底筒状の外槽の内側に、空間を存して有底筒状の内槽を配設するとともに、上記外槽及び内槽を双方の上部において固着し、上記外槽及び内槽の側部に、外部より上記内槽内部が透視可能な透明体からなる平板状の観測窓を設け、上記内槽の内部には所定圧力に加圧された流体が収容されてなることを特徴とする加圧型可視化容器。
【請求項２】
上記外槽及び内槽がステンレス材からなり、上記観測窓が強化プラスチック樹脂（ＦＲＰ樹脂）からなる請求項１に記載の加圧型可視化容器。
【請求項３】
上記内槽の上部フランジが、上記内槽内部に挿入する機器、部材等の物体の支持部を着脱可能に構成された請求項１または２の何れかに記載の加圧型可視化容器。
【発明の詳細な説明】
【０００１】
【発明の属する技術分野】
本発明は加圧された容器、特に低温状態で加圧された容器内の状況を外部から観察可能とした加圧型可視化容器に関する。
【０００２】
【従来の技術】
加圧された低温の容器内に試験体等の物体を収納して、物体の状況を外部から観察可能とする加圧型低温可視化容器として、従来、図４に示すような魔法びんが汎用されている。
【０００３】
図４において、かかる魔法びんは、透明なガラスあるいは強化プラスチック樹脂（ＦＲＰ樹脂）からなる外筒０１の内側に真空断熱の空間０３を存して上記外筒０１と同一の透明材料からなる内筒０２が同心で配設され、両者を上部フランジ部０６に挿通されたボルト０４によって固定して構成されている。そして、内筒内部０５は所定の圧力に加圧され、上部フランジ０７にボルト０９により固定される上部カバーに取付けられた試験体等の物体が収容され、透明な外筒０１及び内筒０２を通して内筒内部０５の状況を観察可能となっている。
【０００４】
【発明が解決しようとする課題】
図４に示されるような従来の加圧型可視化容器としての魔法びんは、外筒０１及び内筒０２の形状が曲面で二重筒となっているため、内筒内部０５に置かれた試験体等の物体が湾曲して観え、透明度も低下することとなり、正確な内部観察ができないという問題点がある。
【０００５】
また、かかる魔法びんは、その材料及び強度上から内筒内部の加圧圧力を上げることが困難であるため、高圧加圧下での試験が不可能であるという問題点も抱えている。
【０００６】
本発明の目的は、加圧された容器の内部を正確に観察可能とするとともに、加圧圧力を高圧化することを可能とした加圧型可視化容器を提供することにある。
【０００７】
【課題を解決するための手段】
本発明は上記のような問題点を解決するもので、その要旨とする手段は、有底筒状の外槽の内側に空間を存して有底筒状の内槽を配設するとともに、上記外槽及び内槽を双方の上部において固着し、上記外槽及び内槽の側部に、外部より上記内槽内部が透視可能な透明体からなる平板状の観測窓を設け、上記内槽の内部には所定圧力に加圧された流体が収容されてなることを特徴とする加圧型可視化容器にある。
【０００８】
また、上記手段において、上記外槽及び内槽をステンレス材で、上記観測窓を強化プラスチック樹脂（ＦＲＰ樹脂）で夫々構成し、さらに、上記内槽の上部フランジを、上記内槽内部に挿入する機器、部材等の物体の支持部が着脱可能となるように構成するのが好ましい。
【０００９】
上記手段によれば、加圧された内槽内部における物体の状況を側部に設けられた観測窓から観測する際において、観測窓が平板状に構成されているので、上記物体が湾曲して観えたり、透明度が低下して具さに観えないようなことがなく、内筒内部を正しい状態で観測することができる。
【００１０】
また、観測窓を強化プラスチック槽脂材で、外槽及び内槽をステンレス材で夫々構成すれば破壊の危険性が無く、内槽内部に極低温流体を可視化状態で安全に収容することができるとともに、内槽内部の圧力を高圧化することも可能となる。これによって、極低温の流体を、外部から正しく観測可能な状態で、かつ高い圧力で以って内槽内部に収容することが可能となる。
【００１１】
また、上部フランジに必要に応じて種々の試験機器、部材等を着脱することができるので、多用途の加圧型可視化容器とすることができる。
【００１２】
【発明の実施の形態】
以下図１〜図３を参照して本発明の実施形態につき詳細に説明する。
【００１３】
図１は本発明の実施形態に係る加圧型可視化容器の縦断面図である。図１において、１は有底円筒状の外槽、２は有底円筒状の内槽であり、同内・外槽２，１間には真空断熱の空間１１が形成されている。上記外槽１と内槽２とはステンレス鋼材から構成されるとともに、これらの上部に設けられたフランジ１ａ及び２ａにおいて、ボルト１ｃにより固着されている。
【００１４】
上記内槽２の上部開口部には上部フランジ２ｂが設けられており、同上部フランジ２ｂに、用途によって種々の機器あるいは部材が着脱可能となっている。この実施形態においては、上記上部フランジ２ｂに、内槽内部１２に加圧された（通常５Kg/cm2Ｇ程度の圧力まで加圧）する極低温流体を導入するための加圧流体導入口１３が固着された上部カバー３がボルト２ｃにより着脱可能となっている。
【００１５】
５は上記内槽２の上部に、円周方向に複数個（通常、２〜４個）設けられた外部フランジであり、この外部フランジ５を、用途に応じて内槽２内部からの排気、排液あるいは検液（内槽内部１２内に液体が収容されている場合）、加圧口等に使用する。
【００１６】
１ａは上記外槽１の側部に左右２箇所（１箇所でも３箇所以上でもよい）に設けられた外槽の側部フランジ、２ｄは上記内槽２の側部に左右２箇所（これも１箇所でも、３箇所以上でも可）設けられた内槽の側部フランジである。上記外槽の側部フランジ１ａには、透明な強化プラスチック樹脂（以下ＦＲＰ樹脂と称する）からなる平板状の観測窓４ａがリテーナ１４を介し、ボルト１６によって着脱自在に取付けられ、また内槽の側部フランジ２ｄには、上記と同様な透明なＦＲＰ樹脂からなる平板状の観測窓４ｂがリテーナ１５を介し、ボルト１７によって着脱自在に取付けられている。
【００１７】
ここで、上記外槽の側部フランジ１ａ及び観測窓４ａと、内槽の側部フランジ２ｄ及び観測窓４ｂとは、内槽内部１２を外部から透視できるよう、円周方向及び長手方向において同一位相かつ同一高さ位置に設けられている。
【００１８】
また６は上記空間１１内の真空を形成するための真空ポンプ（図示省略）への接続用の真空ポンプ接続バルブ、７は上記空間１１内の真空度を計測するための真空計（図示省略）の接続用の真空計測用バルブ、８は上記空間１１内の気体の漏洩があったときの安全装置である破裂板である。
【００１９】
上記のように構成された可視化容器の使用時において、内槽内部１２には加圧流体供給口１３から圧力Kg/cm2Ｇ程度の極低温の加圧流体（この場合は気体）が導入され、また、外槽１と内槽２との間の空間１１は真空ポンプ接続バルブ６を介して真空ポンプにより真空状態となっている。
【００２０】
そして、加圧されている内槽内部１２に収納された試験体等の状況は、外部から透明なＦＲＰ樹脂からなる外槽の観測窓４ａ及び内槽の観測窓４ｂを通して観察することができる。この際において、双方の観測窓４ａ，４ｂは何れも平板状であるので、内槽内部１２内の試験体が従来の魔法びん等のように曲って観測されるようなことが無く、正しい状態で以って観測される。
【００２１】
また、上記観測窓４ａ，４ｂはＦＲＰ樹脂材であるので、破壊の危険も無い。さらに、上記観測窓４ａ，４ｂの取付部（側部フランジ１ａ，２ｄ、リテーナ１４，１５等）は、流体密状態にて、ボルト１６，１７によって固定されているので、この取付部を通しての流体の漏洩は確実に阻止される。
【００２２】
図２は上記実施形態に係る可視化容器の他の使用例（使用例２）を示す。この例では上部フランジ２ｂにボルト２ｃにより締着される上部カバー３にシリンダ９の支持用ブラケット２２を固定し、同シリンダのピストンロッド２３の先端部に試験体２１を取付けている。そして、シリンダ９によって、内槽内部１２で上記試験体２１を上下動（往復動）することにより液−ガス繰り返し試験を行うようにしている。
【００２３】
この例においても、側部の観測窓４ａ，４ｂを通して内槽内部１２における試験体の状態を正確に観察することができる。その他の構成は図１に示す例と同一であり、図１と同一の部材には同一の符号を附して示す。
【００２４】
図３は、上記実施形態に係る可視化容器のさらに他の使用例（使用例３）を示す。この例では、上部フランジ２ｂにボルト２ｃにより締着される上部カバー３に熱交換器用コイル１０を固定し、同コイル１０を上記内槽内部１２に臨ませ、このコイル１０及び内槽内部１２における流体の沸騰状況を側部の観測窓４ａ，４ｂを通して観察するようになっている。その他の構成は図１と同様であり、これと同一の部材は同一の符号にて示す。
【００２５】
以上のように本発明の実施形態に係る可視化容器は、上部フランジ２ｂに、必要に応じて種々の試験機器あるいは部材を上部カバー３を介して取り付けることにより、多用途の加圧式可視化容器として使用することができる。
【００２６】
【発明の効果】
本発明は以上のように構成されており、本発明によれば、観測窓が強化プラスチック樹脂で以って平板状に形成されているので、内槽内部の状況を湾曲を伴うことなく、また不透明となることなく、正しく観察することができる。
【００２７】
また、請求項２のように、観測窓を強化プラスチック樹脂で、外槽及び内槽をステンレス材とすれば、内部圧力による破壊や腐食の発生が防止され、極低温流体を高圧で以って収容することができる。
【００２８】
さらに請求項３のように構成すれば、上部フランジに必要に応じて種々の試験機器、部材等を着脱することができるので、多用途の加圧型可視化容器が得られる。
【図面の簡単な説明】
【図１】本発明の実施形態に係る加圧型可視化容器の縦断面図。
【図２】上記実施形態における他の用途例を示す図１応当図。
【図３】上記実施形態におけるさらに他の用途例を示す図１応当図。
【図４】従来の技術に係る魔法びんの縦断面図。
【符号の説明】
１            外槽
１ａ          側部フランジ（外槽）
２            内槽
２ｂ          上部フランジ
２ｄ          側部フランジ（内槽）
３            上部カバー
４ａ，４ｂ    観測窓
５            外部フランジ
９            シリンダ
１０          コイル
１１          空間
１２          内槽内部
１３          加圧流体導入口
【図１】
0003777400.tif 000002
【図２】
0003777400.tif 000003
【図３】
0003777400.tif 000004
【図４】
0003777400.tif 000005